(57)【要約】【課題】洗面室の狭苦しさを解消し、浴室への動線の確保を図る。【解決手段】浴室（１）に隣接する洗面室（２）の出入口（３）が、浴室と洗面室とを区分する間仕切壁（４）に設けられた浴室出入口（５）の近くに設けられ、間仕切壁に対向する洗面室の壁際に沿って奥側から順に洗濯機スペース（６）、洗面台（７）、カウンター（８）が設けられ、洗面台が、浴室出入口側の浴室の一コーナー部（９）に向くように斜めに配置される。【選択図】          図１
2004346620.tif 000002
【特許請求の範囲】
【請求項１】
浴室に隣接する洗面室の出入口が、浴室と洗面室とを区分する間仕切壁に設けられた浴室出入口の近くに設けられ、前記間仕切壁に対向する洗面室の壁際に沿って奥側から順に洗濯機スペース、洗面台、カウンターが設けられ、洗面台が、浴室出入口側の浴室の一コーナー部に向くように斜めに配置されていることを特徴とする洗面室構造。
【請求項２】
洗面台と洗濯機スペースとの境に腰壁が設けられている請求項１記載の洗面室構造。
【発明の詳細な説明】
【０００１】
【発明の属する技術分野】
この出願の発明は、洗面室構造に関するものである。さらに詳しくは、この出願の発明は、狭苦しさを解消し、浴室への動線の確保を図った洗面室構造に関するものである。
【０００２】
【従来の技術】
住宅では、一般に、浴室に隣接して洗面室が設けられ、洗面室を通って浴室に出入りする間取りとなっている。そして、多くの場合、洗面室に設けられる洗濯機スペースは、洗面室と浴室の両出入口を結ぶ通路側に配置されている（たとえば、特許文献１参照）。
【０００３】
【特許文献１】
特開２００２−１６５７２０号公報
【０００４】
【発明が解決しようとする課題】
しかしながら、洗面室を広く取ることは間取り上難しいことから、上記のとおりの洗濯機スペースに洗濯機が設置されると、洗面室は狭苦しく感じられ、また、浴室への動線が確保されないという問題がある。
【０００５】
この出願の発明は、このような事情に鑑みてなされたものであり、狭苦しさを解消し、浴室への動線の確保を図った洗面室構造を提供することを解決すべき課題としている。
【０００６】
【課題を解決するための手段】
この出願の発明は、上記の課題を解決するものとして、浴室に隣接する洗面室の出入口が、浴室と洗面室とを区分する間仕切壁に設けられた浴室出入口の近くに設けられ、前記間仕切壁に対向する洗面室の壁際に沿って奥側から順に洗濯機スペース、洗面台、カウンターが設けられ、洗面台が、浴室出入口側の浴室の一コーナー部に向くように斜めに配置されていることを特徴とする洗面室構造（請求項１）を提供する。
【０００７】
また、この出願の発明は、洗面台と洗濯機スペースとの境に腰壁が設けられていること（請求項２）をそれぞれ一態様として提供する。
【０００８】
以下、図面に沿ってこの出願の発明の洗面室構造についてさらに詳しく説明する。
【０００９】
【発明の実施の形態】
図１は、この出願の発明の洗面室構造の一実施形態を示した間取り図である。
【００１０】
たとえば図１に示したように、この出願の発明の洗面室構造では、浴室（１）に隣接する洗面室（２）の出入口（３）が、浴室（１）と洗面室（２）とを区分する間仕切壁（４）に設けられた浴室出入口（５）の近くに設けられている。
【００１１】
また、この出願の発明の洗面室構造では、図１に示したように、間仕切壁（４）に対向する洗面室（２）の壁際に沿って奥側から順に洗濯機スペース（６）、洗面台（７）、カウンター（８）が設けられている。
【００１２】
さらに、この出願の発明の洗面室構造では、図１に示したように、洗面台（７）が、浴室出入口（５）側の浴室（１）の一コーナー部（９）に向くように斜めに配置されている。
【００１３】
このように、この出願の発明の洗面室構造では、洗濯機スペース（６）が、洗面室（２）と浴室（１）の両出入口（３）（５）を結ぶ通路側に配置されておらず、間仕切壁（４）に対向する洗面室（２）の壁際の奥側に位置するため、洗濯機スペース（６）に洗濯機（１０）が設置されても、洗面室（２）が狭苦しく感じられることはない。しかも、洗面台（７）は、以上の洗濯機スペース（６）の手前側に設けられているが、上述のとおり、洗面台（７）は、浴室出入口（５）側の浴室（１）の一コーナー部（９）に向くように斜めに配置されているため、浴室（１）への動線が確保される。そして、洗濯機スペース（６）前の洗面室スペース（１１）は、脱衣置場として利用することができ、使い勝手が良好ともなる。
【００１４】
このようなこの出願の発明の洗面室構造は、リフォームにも適用することができ、たとえば既存の浴室（１）を広げようとする場合等に有効となる。
【００１５】
また、この出願の発明の洗面室構造では、図２にも示したように、洗面台（７）と洗濯機スペース（６）との境に腰壁（１２）を設けることができる。腰壁（１２）は、洗濯機スペース（６）に設置された洗濯機（１０）を隠し、洗面室（２）の出入口（３）から見た時の見栄えを良好とする。また、洗面台（７）を使用する際の水はねを防止する。このような腰壁（１２）は、たとえば、洗面台（７）に一体的に設けることが可能である。
【００１６】
さらに、この出願の発明の洗面室構造では、図２に示したように、カウンター（８）の下方に椅子（１３）を収納することができる。椅子（１３）は、洗面、歯磨き、化粧等の際の腰掛として使用することができるものであり、諸作業を身体に負担なく行えるようにする。この椅子（１３）は、上記のとおり、カウンター（８）の下方に収納されるため、浴室（１）への動線の邪魔にならない。このような椅子（１３）は、また、座板下方に収納部を有するものとすることができ、備品等の収納を可能にする。
【００１７】
さらにまた、この出願の発明の洗面室構造では、図２に示したように、間仕切壁（４）に対向する洗面室（２）の壁上部に、洗濯機スペース（６）からカウンター（８）までの長さを有する収納棚（１４）を設置することができる。収納量が十分に確保され、しかも意匠上の納まりが良好となる。
【００１８】
さらにまた、この出願の発明の洗面室構造では、図２に示したように、洗面台（７）の上部に回転軸を有し、水平方向に回転可能な照明器具（１５）を設置することができる。照明器具（１５）は、洗面台（７）及びカウンター（８）と洗濯機スペース（６）の両方を照らすことのできる兼用の照明器具である。
【００１９】
そして、この出願の発明の洗面室構造では、図３にも示したように、洗面台（７）の壁面コーナー部（１６）に洗濯機（１０）用の水道栓及び排水管（１７）を設けることができる。洗面台（７）の壁面コーナー部（１６）には、洗面台（７）用の水道栓（１８）が設けられるが、ここに洗濯機（１０）用の水道栓及び排水管（１７）を設けることにより、洗面台（７）と洗濯機（１０）用の給排水管の位置が一カ所に集約され、配管工事が容易となる。
【００２０】
もちろん、この出願の発明は、以上の実施形態によって限定されるものではない。細部については様々な態様が可能であることはいうまでもない。
【００２１】
【発明の効果】
以上詳しく説明したとおり、この出願の発明によって、洗面室の狭苦しさが解消され、浴室への動線が確保される。
【図面の簡単な説明】
【図１】この出願の発明の洗面室構造の一実施形態を示した間取り図である。
【図２】図１に示した洗面室構造の要部斜視図である。
【図３】図１に示した洗面室構造の正面図である。
【符号の説明】
１    浴室
２    洗面室
３    出入口
４    間仕切壁
５    浴室出入口
６    洗濯機スペース
７    洗面台
８    カウンター
９    コーナー部
１０    洗濯機
１１    洗面室スペース
１２    腰壁
１３    椅子
１４    収納棚
１５    照明器具
１６    壁面コーナー部
１７    洗濯機用水道栓及び排水管
１８    洗面台用水道栓
【図１】
2004346620.tif 000003
【図２】
2004346620.tif 000004
【図３】
2004346620.tif 000005